(57)【要約】      （修正有）【課題】乗り物の車内等でプリントが行なわれるようなことがあってもプリントミスの発生が未然に防止されるプリント機能付き撮影装置および携帯プリンタを提供する。【解決手段】ＣＰＵは、プリント指示ボタンからのプリント指示を受けて、光学ヘッドに潜像を形成させるに先立って三軸加速度センサから所定の振幅値情報を受け取り、その振幅値情報が所定の第１の振幅値以下の振幅値を表わしている場合に光学ヘッドに潜像を形成させる。ステップＳ６０６で所定の第１の振幅値を超える振幅値情報であると判定したときには液晶モニタ上に警告表示を行なうとともに光学ヘッドによる潜像の形成を禁止する。また振動が軽微であった場合にはユーザ操作に応じて光学ヘッドによる潜像を形成させるか、させないかの判定を行なう。【選択図】図６
2007059997.tif 000002
【特許請求の範囲】
【請求項１】
撮影レンズで撮像素子上に被写体を結像させて該撮像素子で画像信号を生成するとともに、該画像信号が表わす画像のプリント指示を受けたときには前記画像信号が表わす潜像を現像液が充填されたインスタントフィルムシート上に露光により形成して該潜像を形成したインスタントフィルムシートに該現像液を展開させながら外部へと排出させることによりプリント写真を得るプリント機能付き撮影装置において、
プリント指示用のプリント指示ボタンと、
露光により前記画像信号に基づく潜像を前記インスタントフィルム上に形成する光学ヘッドと、
前記プリント指示ボタンの操作によるプリント指示を受けて前記光学ヘッドに画像信号に基づく潜像をインスタントフィルムシート上に形成させる制御手段と、
この撮影装置の振動の振幅値を検出する振動検出手段と、
表示画面を有し該表示画面上に画像の表示を行なう表示手段とを備え、
前記制御手段は、前記プリント指示ボタンからのプリント指示を受けて、前記光学ヘッドに前記潜像を形成させるに先立って前記振動検出手段から所定の振幅値情報を受け取り、該振幅値情報が所定の第１の振幅値以下の振幅値を表わしている場合に前記光学ヘッドに潜像を形成させるものであることを特徴とするプリント機能付き撮影装置。
【請求項２】
前記制御手段は、前記光学ヘッドに前記潜像を形成させるに先立って前記振動検出手段から受け取った振幅値情報が、前記第１の振幅値を超えかつ所定の第２の振幅値以下の振幅値を表わしている場合に前記表示手段に振動の存在する旨の表示を行なわさせ、再度プリント指示を受けて前記光学ヘッドに潜像を形成させるものであることを特徴とする請求項１記載のプリント機能付き撮影装置。
【請求項３】
前記制御手段は、前記光学ヘッドに前記潜像を形成させるに先立って前記振動検出手段から受け取った振幅値情報が、所定の第２の振幅値を超える振幅値を表わしている場合に、前記表示手段に振動が存在する旨の表示を行なわせるとともに前記光学ヘッドによる潜像の形成を禁止するものであることを特徴とする請求項１又は２記載のプリント機能付き撮影装置。
【請求項４】
前記振動検出手段は、三軸加速度センサであってこのプリント機能付き撮影装置の姿勢の検出を行なうことも自在なものであり、
このプリント機能付き撮影装置は、傾き調整用のアジャスタを備えたものであって、さらに、
前記制御手段が、前記振動検出手段の検出によりこのプリンタが傾いていることを検知した場合には、前記表示手段に、このプリント機能付き撮影装置が傾いているということを表わす表示を表示画面上に行なわさせるものであることを特徴とする請求項１記載のプリント機能付き撮影装置。
【請求項５】
前記振動検出手段は、三軸加速度センサであってこの撮影装置の撮影時の姿勢を検出することも自在なものであって、
前記撮像素子は、縦横異なる比率の撮像面を有するものであり、該撮像面を縦長にしてこの撮影装置を構えて撮影を行なったときには該縦長サイズで画像信号を生成してメモリカードに記録し、該撮像面を横長にしてこの撮影装置を構えて撮影を行なったときには該横長サイズで画像信号を生成して記録媒体に記録するものであり、さらにこの撮影装置は、該記録媒体内の画像信号に基づく画像に重ねて画枠を形成するテンプレートを表わす画像を記憶部内に複数保有しているものであって、
前記制御手段は、この撮影装置を構えて撮影を行なおうとしているときに前記振動検出手段により前記撮像面が縦長になっているか、横長になっているかを検知して、撮影操作に応じて前記記録媒体に画像信号を記録しようとするときには縦長あるいは横長という情報を撮影情報として画像信号とともに記録させるものであって、
前記制御手段は、さらに、操作によりメモリカード内の画像信号のうちのいずれかが選択され、さらに前記複数のテンプレートのうちのいずれかのテンプレートが選択されたときに、選択された画像信号が縦長であるか、横長であるかを判定して該横長であった場合には前記記憶部から読み出したテンプレートをそのまま画像信号に重ね、縦長であった場合には略９０度回転させてから画像信号に重ねるものであることを特徴とするプリント機能付き撮影装置。
【請求項６】
プリント指示を受けて画像信号が表わす潜像を現像液が充填されたインスタントフィルムシート上に露光により形成して該潜像を形成したインスタントフィルムシートに該現像液を展開させながら外部へと排出させることによりプリント写真を得る携帯プリンタにおいて、
プリント指示用のプリント指示ボタンと、
露光により前記画像信号に基づく潜像を前記インスタントフィルム上に形成する光学ヘッドと、
前記プリント指示ボタンの操作によるプリント指示を受けて前記光学ヘッドに画像信号に基づく潜像をインスタントフィルムシート上に形成させる制御手段と、
このプリンタの振動の振幅値を検出する振動検出手段と、
表示画面を有し該表示画面上に画像の表示を行なう表示手段とを備え、
前記制御手段は、前記プリント指示ボタンからのプリント指示を受けて、前記光学ヘッドに前記潜像を形成させるに先立って前記振動検出手段から所定の振幅値情報を受け取り、該振幅値情報が所定の第１の振幅値以下の振幅値を表わしている場合に前記光学ヘッドに潜像を形成させるものであることを特徴とする携帯プリンタ。
【請求項７】
前記制御手段は、前記光学ヘッドに前記潜像を形成させるに先立って前記振動検出手段から受け取った振幅値情報が、前記第１の振幅値を超えかつ所定の第２の振幅値以下の振幅値を表わしている場合に前記表示手段に振動の存在する旨の表示を行なわさせ、再度プリント指示を受けて前記光学ヘッドに潜像を形成させるものであることを特徴とする請求項６記載の携帯プリンタ。
【請求項８】
前記制御手段は、前記光学ヘッドに前記潜像を形成させるに先立って前記振動検出手段から受け取った振幅値情報が、所定の第２の振幅値を超える振幅値を表わしている場合に、前記表示手段に振動が存在する旨の表示を行なわせるとともに前記光学ヘッドによる潜像の形成を禁止するものであることを特徴とする請求項６又は７記載の携帯プリンタ。
【請求項９】
前記振動検出手段は、三軸加速度センサであってこのプリント機能付き撮影装置の姿勢の検出を行なうことも自在なものであり、
このプリンタは傾き調整用のアジャスタを備えたものであって、さらに、
前記制御手段が、前記振動検出手段の検出によりこのプリンタが傾いていることを検知した場合には、前記表示手段に、このプリンタが傾いているということを表わす表示を表示画面上に行なわさせるものであることを特徴とする請求項６記載の携帯プリンタ。
【発明の詳細な説明】
【技術分野】
【０００１】
本発明は、撮影レンズで撮像素子上に被写体を結像させてその撮像素子で画像信号を生成するとともに、その画像信号が表わす画像のプリント指示を受けたときには画像信号が表わす潜像を現像液が充填されたインスタントフィルムシート上に露光により形成してその潜像を形成したインスタントフィルムシートに現像液を展開させながら外部へと排出させることによりプリント写真を得るプリント機能付き撮影装置およびプリント機能のみを持つ携帯プリンタに関する。
【背景技術】
【０００２】
撮影装置を用いるユーザは、撮影時に必ずしも撮影装置を地平線に対して水平に構えて撮影を行なう訳ではない。ユーザによっては撮影装置を傾けて撮影を行なう場合もあり、そのような場合には記録メディアなどに記録された画像データに基づく画像を再生表示したり、印刷したりするとその画像も傾いたものになってしまう。そこで、撮影画像が傾くことのないように、ファインダ代わりに用いられる表示画面上に水平線を表示することにより撮影装置が水平に構えられていることをユーザに対して示して撮影のアシストを行なうようにしている撮影装置もある（例えば特許文献１参照）。
【０００３】
また、撮影装置の中には、撮影後の画像処理によって画像を回転させることができることを考えて、撮影時の撮影装置の姿勢を示す情報を画像ファイルに付加して記録メディア等に記録するようにしておいて再生時に適正な画像になるように画像の回転処理を行なうようにしているものもある（例えば特許文献２参照）。
【０００４】
このようにしておくと、撮影装置がどのように構えられて撮影が行なわれたとしても再生画像は同じ画像で再生表示されるようになる。
【０００５】
ところで、撮影装置の中には撮影レンズで撮像素子上に被写体を結像させてその撮像素子で画像信号を生成するとともに、その画像信号が表わす画像のプリント指示を受けたときには画像信号が表わす潜像を現像液が充填されたインスタントフィルムシート上に露光により形成してその潜像を形成したインスタントフィルムシートに現像液を展開させながら外部へと排出させることによりプリント写真を得るプリント機能付きの撮影装置もある（例えば特許文献３参照）。このようなプリント機能付き撮影装置にあっては、携帯機器であるため、どのような場所でもプリントを行なうことができるというメリットを持っている。このようなメリットを持つものの中にはカメラ付き携帯電話機と組み合わされて使用される携帯プリンタ等もある。
【０００６】
しかし、このようなプリント機能付き撮影装置や携帯プリンタ等は、どのような場所であっても比較的平らなところに置きさえすれば写真プリントを行なうことができるというメリットを持っている反面、置いた所に傾きがあると露光ヘッドを移動させているモータとの連結部に加えられる外力の大きさや向きが変化することによりモータの負荷トルクが変動してしまって、露光ヘッドの送り速度に速度むらが発生してプリントミスが発生してしまうことがある。
【０００７】
そこで、特許文献３のプリント機能付き撮影装置では、そのようなプリントミスを低減するために水銀スイッチを用いて姿勢検知を行って撮影装置の姿勢が傾いていると判定したときにはその傾倒の程度に応じてプリントミスが生じないように露光ヘッドを移動させるためのモータのトルク等を制御することにより露光ヘッドの送り速度に速度むらが出ないようにしている。またモータのトルク等を制御してもプリント補正を行なうことができない姿勢になっているときにはプリント補正を行なうことができないということをユーザに対して表示により通知するようにもしている。
【０００８】
このようにしておくとプリントミスが起こり難くなるとともに、プリントミスが確実に起こることが予め予想される場合には、撮影装置の姿勢を水平にすることをユーザに促すこともできる。
【０００９】
しかしながら、プリント機能付き撮影装置や携帯プリンタ等においては電車等の乗り物の車内で印刷が行なわれる場合もあり、このような場合には上記傾きよりもむしろ振動の方がプリントミスを引き起こす原因になり得る。
【特許文献１】特開２００２−２７１６５４号公報
【特許文献２】特開２００３−２５９２９５号公報
【特許文献３】特開２００１−２３２８９６号公報
【発明の開示】
【発明が解決しようとする課題】
【００１０】
本発明は、上記事情に鑑み、乗り物の車内等でプリントが行なわれるようなことがあってもプリントミスの発生が未然に防止されるプリント機能付き撮影装置および携帯プリンタを提供することを目的とする。
【課題を解決するための手段】
【００１１】
上記目的を達成する本発明のプリント機能付き撮影装置は、撮影レンズで撮像素子上に被写体を結像させてその撮像素子で画像信号を生成するとともに、その画像信号が表わす画像のプリント指示を受けたときには上記画像信号が表わす潜像を現像液が充填されたインスタントフィルムシート上に露光により形成してその潜像を形成したインスタントフィルムシートに該現像液を展開させながら外部へと排出させることによりプリント写真を得るプリント機能付き撮影装置において、
プリント指示用のプリント指示ボタンと、
露光により上記画像信号に基づく潜像を上記インスタントフィルムシート上に形成する光学ヘッドと、
上記プリント指示ボタンの操作によるプリント指示を受けて上記光学ヘッドに画像信号に基づく潜像をインスタントフィルムシート上に形成させる制御手段と、
この撮影装置の振動の振幅値を検出する振動検出手段と、
表示画面を有しその表示画面上に画像の表示を行なう表示手段とを備え、
上記制御手段は、上記プリント指示ボタンからのプリント指示を受けて、上記光学ヘッドに上記潜像を形成させるに先立って上記振動検出手段から所定の振幅値情報を受け取り、その振幅値情報が所定の第１の振幅値以下の振幅値を表わしている場合に上記光学ヘッドに潜像を形成させるものであることを特徴とする。
【００１２】
上記本発明のプリント機能付き撮影装置によれば、上記制御手段が、上記光学ヘッドに潜像の形成が開始させるに先立って上記振動検出手段によって検出された振動の振幅値情報を受け取ることができるようになる。
【００１３】
そうすると上記制御手段は、その所定の振幅値情報が上記所定の第１の振幅値以下の振幅値を表わしている場合にのみ上記光学ヘッドに潜像を形成させることができる。逆に言えば、上記制御手段が上記所定の第１の振幅値を超える振幅値情報を受け取った場合には上記光学ヘッドによる潜像の形成を禁止することができる。この第１の振幅値を光学ヘッドによる潜像の形成時にミスが発生する恐れのある最小値にしておけば、上記振動検知手段により検知された振幅値が表わしている振動が上記第１の振幅値を超えたときにプリントミスがある程度発生するとして上記光学ヘッドによる潜像の形成を禁止することができる。
【００１４】
つまり乗り物の車内等でプリントが行なわれるようなことがあってもプリントミスの発生が未然に防止されるプリント機能付き撮影装置が実現する。
【００１５】
また、上記振動検出手段は、三軸加速度センサであってこのプリント機能付き撮影装置の姿勢の検出を行なうことも自在なものであり、
この撮影装置は傾き調整用のアジャスタを備えたものであって、さらに、
上記制御手段が、上記振動検出手段の検出によりこのプリンタ機能付き撮影装置が傾いていることを検知した場合には、上記表示手段に、このプリント機能付き撮影装置が傾いているということを表わす表示を表示画面上に行なわさせる態様を持つものであることが好ましい。
【００１６】
そうすると、わざわざ姿勢検出用のセンサを設けなくても上記振動検出手段である三軸加速度センサを姿勢検出用として兼用することができるようになって従来と同様にこのプリント機能付き撮影装置の水平出しをユーザに行なってもらってから光学ヘッドに潜像の形成を開始させるようなこともできる。そうすると、このプリント機能付き撮影装置の姿勢が傾いたことによって引き起こされるプリントミスの発生も低減される。
【００１７】
さらに、上記振動検出手段に三軸加速度センサを用いることによりその振動検出手段を振動のみならず姿勢検出手段としても用いることができるようになると部品点数の削減によるコストダウンが図られるというメリットを引き出すことができる。
【００１８】
ここで上記三軸加速度センサを姿勢検出用として用いる様にすると以降に記載するようなメリットを引き出すこともできるようになる。
【００１９】
上記振動検出手段は、三軸加速度センサであってこのプリント機能付き撮影装置の撮影時の姿勢を検出することも自在なものであって、
上記撮像素子は、縦横異なる比率の撮像面を有するものであり、その撮像面を縦長にしてこのプリント機能付き撮影装置を構えて撮影を行なったときには縦長サイズで画像信号を生成してメモリカードに記録し、上記撮像面を横長にしてこのプリント機能付き撮影装置を構えて撮影を行なったときには横長サイズで画像信号を生成して記録媒体に記録するものであり、さらにこのプリント機能付き撮影装置は、その記録媒体内の画像信号に基づく画像に重ねて画枠を形成するテンプレートを表わす画像を記憶部内に複数保有しているものであって、
上記制御手段は、このプリント機能付き撮影装置を構えて撮影を行なおうとしているときに上記振動検出手段により上記撮像面が縦長になっているか、横長になっているかを検知して、撮影操作に応じて上記記録媒体に画像信号を記録しようとするときには縦長あるいは横長という情報を撮影情報として画像信号とともに記録させるものであって、
さらに操作によりメモリカード内の画像信号のうちのいずれかが選択され、さらに上記複数のテンプレートのうちのいずれかのテンプレートが選択されたときに、選択された画像信号が縦長であるか、横長であるかを判定して横長であった場合には上記記憶部から読み出したテンプレートをそのまま画像信号に重ね、縦長であった場合には略９０度回転させてから画像信号に重ねる態様を持つものであることが好ましい。
【００２０】
上記制御手段がこの好ましい態様を持つものであると、上記三軸加速度センサを活用することにより姿勢を検出することによって再生時に画像の回転処理や合成処理等を好適に行うことができるようにもなる。
【００２１】
上記本発明のプリント機能付き撮影装置の技術は、携帯プリンタにも適用されるものであって、
上記目的を達成する本発明の携帯プリンタは、プリント指示を受けて画像信号が表わす潜像を現像液が充填されたインスタントフィルムシート上に露光により形成してその潜像を形成したインスタントフィルムシートにその現像液を展開させながら外部へと排出させることによりプリント写真を得る携帯プリンタにおいて、
プリント指示用のプリント指示ボタンと、
露光により前記画像信号に基づく潜像を前記インスタントフィルム上に形成する光学ヘッドと、
上記プリントボタンの操作によるプリント指示を受けて上記光学ヘッドに画像信号に基づく潜像をインスタントフィルムシート上に形成させる制御手段と、
この携帯プリンタが振動していること検出するとともに振動の振幅値を検出する振動検出手段と、
表示画面を有しその表示画面上に画像の表示を行なう表示手段とを備え、
上記制御手段は、上記プリント指示ボタンからのプリント指示を受けて、上記光学ヘッドに上記潜像を形成させるに先立って上記振動検出手段から所定の振幅値情報を受け取り、その振幅値情報が所定の第１の振幅値以下の振幅値を表わしている場合に上記光学ヘッドに潜像を形成させるものであることを特徴とする。
【００２２】
ここで、上記制御手段は、上記光学ヘッドに上記潜像を形成させるに先立って上記振動検出手段から受け取った振幅値情報が、上記第１の振幅値を超えかつ所定の第２の振幅値以下の振幅値を表わしている場合に上記表示手段に振動の存在する旨の表示を行なわさせ、再度プリント指示を受けて上記光学ヘッドに潜像を形成させるものであることが好ましい。
【００２３】
また上記制御手段は、上記光学ヘッドに上記潜像を形成させるに先立って上記振動検出手段から受け取った振幅値情報が、所定の第２の振幅値を超える振幅値を表わしている場合に、上記表示手段に振動が存在する旨の表示を行なわせるとともに上記光学ヘッドによる潜像の形成を禁止するものであることが好ましい。
【００２４】
さらに、上記振動検出手段は、三軸加速度センサであってこの携帯プリンタの姿勢の検出を行なうことも自在なものであり、
この携帯プリンタは傾き調整用のアジャスタを備えたものであって、さらに、
上記制御手段が、上記振動検出手段の検出によりこのプリンタが傾いていることを検知した場合には、上記表示手段に、このプリンタが傾いているということを表わす表示を表示画面上に行なわさせるものであることが好ましい。
【発明の効果】
【００２５】
以上、説明したように、乗り物の車内等でプリントが行なわれるようなことがあってもプリントミスの発生が未然に防止されるプリント機能付き撮影装置および携帯プリンタが実現される。
【発明を実施するための最良の形態】
【００２６】
以下、本発明の実施の形態について説明する。
【００２７】
図１は本発明の一実施形態であるプリント機能付き撮影装置１の外観を示す図である。
【００２８】
図１に示す撮影装置１は、撮影レンズ１０で撮像素子上に被写体を結像させてその撮像素子で画像信号を生成するとともに、その画像信号が表わす画像のプリント指示を受けたときには画像信号が表わす潜像を現像液が充填されたインスタントフィルムシート上に露光により形成してその潜像を形成したインスタントフィルムシートにその現像液を展開させながら外部へとインスタントフィルムシート１０００を排出させることによりプリント写真を得るプリント機能付き撮影装置１である。
【００２９】
このプリント機能付き撮影装置１の外観を図１を参照して説明する。
【００３０】
図1に示すように、撮影レンズ１０が図１の左斜め上方に設けられており、ファインダ１１がその撮影レンズ１０の上方に設けられている。そのファインダ１１を覗きながら、あるいは背面側にある表示画面を見ながら撮影レンズ１０の下方にあるシャッタボタン１２が押されると撮影が行なわれるようになっている。
【００３１】
またファインダ１１の横にはセルフタイマランプ１３が設けられていて、このプリント機能付き撮影装置で自己撮り撮影が行なわれるときには、そのセルフタイマランプ１３の点滅により撮影タイミングが撮影者に通知されるようになっている。さらにそのセルフタイマランプ１３に並んで調光センサ１４が設けられていて、その調光センサ１４の隣にあるフラッシュ発光窓１５からフラッシュ光が発光されたときにはその調光センサ１４の調光に応じて適正光量となったときにフラッシュ光の発光が停止されるようにもなっている。
【００３２】
前述したようにこの撮影装置１は、プリント機能付きのものであってフラッシュ発光窓１５の下方に在る蓋１６の内側にはインスタントフィルムパック装填室が設けられていてその装填室内にインスタントフィルムパックが装填されている。背面側に在るプリント指示ボタン（後述する）が操作されると、後述する液晶モニタ１０６１上に表示されている画像がインスタントフィルムパック内の一枚のインスタントフィルムシート１０００上にプリントされて排出口１７から排出されるようになっている。
【００３３】
また、図１に示すように、このプリント機能付き撮影装置１には、このプリント機能付き撮影装置１を机の上等に置いてプリントを行なおうとするときに用いられる傾き調整用のアジャスタ１８１〜１８４が４つ備えられている。これらのアジャスタ１８１〜１８４の高さが各々調節されると、このプリント機能付き撮影装置１の傾きが調整されこのプリント機能付き撮影装置１の水平度が保たれるようになっている。このときには、背面側の液晶モニタ１０６１上に水平線と傾きの程度を表わす調整用線を重ねて表示させるようにしておいて、その調整用線を水平線に重ねるように４つのアジャスタをユーザにそれぞれ調整してもらうことにより撮影装置の姿勢を水平にするようにしている。水平線と調整用線のうちの調整用線を表示するためにはこのプリント機能付き撮影装置の姿勢を検出する必要があるので、本実施形態のプリント機能付き撮影装置には、姿勢検出用の三軸加速度センサ（後述する）が設けられている。本実施形態では、この三軸加速度センサによって、このプリント機能付き撮影装置１の姿勢（傾き）はもとより、振動も検出されるようになっている。
【００３４】
図２は、図１に示すプリント機能付き撮影装置１の背面側の外観を示す図である。
【００３５】
図２に示すようにファインダとしても機能する液晶モニタ１０６１が左斜め上方に設けられている。その液晶モニタ１０６１の横および下方には多数のスイッチからなる操作部１０８が設けられている。その操作部１０８が備える多数のスイッチの中には、前述のプリント指示ボタン１０８１や撮影モードダイヤル１０８２や表示ボタン１０８３やシフトキー１０８４などが設けられている。その撮影モードダイヤル１０８２の上方にはファインダ１１の対物窓が設けられている。
【００３６】
また、図２の下方には前述の媒体装填室１０７ａが設けられていてこの媒体装填室１０７ａ内に画像データ記録用のメモリカード１０７が装填されるようになっている。
【００３７】
図３は、図１のプリント機能付き撮影装置１が備える露光ヘッド１２１を含むプリント部の構成を説明する図である。図３には、露光ヘッド１２１の両端部を移動自在に支持する２つのガイドのうちの一方のガイド１２２ｂを外してインスタントフィルムパック１０００側を見た図が示されている。
【００３８】
図３に示すように露光ヘッド１２１は、図中Ｘで示す矢印の方向に移動自在になるように両端側の２つのガイド１２２ａ，１２２ｂそれぞれに支持されている。一方のガイド内には、そのＸで示す方向に沿ってリードスクリューが埋設されており、そのガイドの端部にはモータが備えられている。したがって、モータが回転すると、そのモータの回転がリードスクリューに伝わり、さらにそのリードスクリューの回転が露光ヘッド１２１の端部に設けられている受け部に伝えられることにより露光ヘッドが図のＸ方向に移動することなる。こうしてモータの回転がリードスクリューを介して露光ヘッド１２１に伝えられることにより露光ヘッドがＸ方向に移動してインスタントフィルムシート１０００上にカラー潜像が形成される。このようにしてインスタントフィルムシート上にカラー潜像が形成されたら不図示のクローによりその潜像が形成されたインスタントフィルムシート１０００が展開ローラ１３０側に掻き出されて展開ローラの回転にしたがってインスタントフィルムシート１０００が外部へと排出されていくことになる（図１参照）。
【００３９】
このように露光ヘッドの周辺が図３に示すような構成を持っているため、このプリント機能付き撮影装置１が傾くと露光ヘッドをＸ軸方向に移動させているときのモータの出力トルクが変化して露光ヘッド１２１の送り量が変化してしまう。そうするとインスタントフィルムシート１０００上にカラー潜像がうまく形成されなくなってプリントミスが引き起こされてしまう。
【００４０】
そこで、本実施形態では、三軸加速度センサによりこのプリント機能付き撮影装置の姿勢を検出するようにして検出した姿勢に応じて液晶モニタ１０６１上にこのプリント機能付き撮影装置１の傾きの程度を表わす調整用線を表示させるようにしている。その調整用線に加えて液晶モニタ１０６１上には基準となる水平線が重ねて表示されているため、その調整用線とその水平線との双方が重なるように４つのアジャスタそれぞれの高さそれぞれがユーザにより調節されるとこのプリント機能付き撮影装置の姿勢が水平になるようになっている。
【００４１】
図４は、４つのアジャスタ１８１〜１８４による傾き調整の状態を説明する図である。
【００４２】
図４に示すようにプリント機能付き撮影装置１が水平状態になると、露光ヘッドを移動させるためのモータの負荷トルクの変動がなくなるため、プリントミスは起こらなくなる。
【００４３】
また本実施形態のプリント機能付き撮影装置１では、乗り物などの車内でプリントが行なわれているときには、姿勢を検出するための三軸加速度センサにより振動を検出するようにもしてある。上記図３の構成からも明らかなように振動があると光学ヘッドが振動してしまうため、プリントミスが発生する確率が高くなる。
【００４４】
図５は、図１のプリント機能付き撮影装置１の内部構成を示す構成ブロック図である。
【００４５】
図５に示すようにこのプリント機能付き撮影装置１の動作はＣＰＵ１００により統括的に制御されている。このＣＰＵ１００はＥＥＰＲＯＭ１００ａ内に格納されているプログラムの手順にしたがってこのプリント機能付き撮影装置１全体の動作を制御する。
【００４６】
まず、簡単にシャッタボタン１２の操作に応じてＣＰＵ１００が実行する撮影モード時の処理を説明する。
【００４７】
操作スイッチ等１０８の中の撮影モードダイヤル１０８２が撮影モードに切り替えられると、撮影モードになってＣＰＵ１００により撮影処理が開始される。
【００４８】
この例においては、撮影レンズ１０で被写体を捉えて被写体光を撮像デバイス１０１に結像させるときに、絞り１０ａの開口を駆動回路１００１に調節させることにより撮像デバイス１０１に結像させる被写体光の光量を適正量に調節することができるようにしている。このようにしておくと、被写体光の光量が絞り値に応じた光量となって結像されるようになる。
【００４９】
このような撮影光学系で被写体光を撮像デバイス上に結像させたら撮像デバイスで画像信号が生成されるようになる。
【００５０】
ここで、モードダイヤル１０８２が撮影モードに切り替えられたときにＣＰＵ１００が行なう撮影処理を説明する。シャッタボタンが押される前においては、ＣＰＵ１００は液晶部１０６が備える液晶モニタ１０６１（図２参照）をファインダ代わりに用いることができるようにするため、液晶モニタ上にスルー画を表示させる処理をまず行なっている。
【００５１】
このときにＣＰＵ１００は、駆動回路１００１に撮像デバイス１０１に向けて所定の時刻ごとにタイミング信号を供給させることにより撮像デバイス１０１で生成されたスルー画用の画像信号（スルー画信号という）をアナログ信号処理部１０２へと出力させている。そのアナログ信号処理部１０１でノイズ低減処理等が行なわれたスルー画信号がＡ／Ｄ部１０３に供給されデジタル信号に変換されたら、デジタル信号に変換されたスルー画信号がカメラデジタル信号処理部１０４でＹＣ信号に変換され、さらにＹＣ信号に変換されたスルー画信号が表示バッファであるメモリ１０５に供給される。この表示バッファであるメモリ１０５内にある画像信号に基づく画像が、液晶部１０６が備える液晶モニタ１０６１（図２参照）上に表示される。この表示バッファであるメモリ１０５の内容であるスルー画信号が所定の時刻ごとに書き換えられる訳であるから、液晶モニタ１０６１上にはスルー画信号に基づくスルー画が所定の時刻ごとに切り替えられて表示される。
【００５２】
この液晶モニタ１０６１上のスルー画を見ながらシャッタボタン１２が押されたら、そのシャッタボタン１２の操作を受けてＣＰＵ１００は、今度は撮影処理を開始する。
【００５３】
まずＣＰＵ１００は、駆動回路１００１に、撮像デバイス１０１に向けて露光開始信号を供給させ、さらに所定のシャッタ秒時経過後に撮像デバイス１０１に露光終了信号を供給させている。このときにＣＰＵ１００は、駆動回路１００１に、シャッタ秒時にあわせて絞りの開口も調節させている。そしてその露光終了信号に同期して撮像デバイス１０１から撮影画像を表わす画像信号をアナログ信号処理部１０２へと出力させる。その画像信号の出力を受けたアナログ信号処理部１０２によって上記撮影画像を表わす画像信号のノイズの低減処理等が行なわれてノイズ低減処理が行なわれた画像信号がＡ／Ｄ部１０３へと供給される。Ａ／Ｄ部１０３ではアナログ信号からデジタル信号への変換が行なわれデジタル信号に変換された画像信号がバスを介してカメラデジタル信号処理部１０４へと供給される。そしてカメラデジタル信号処理部１０４では、ＹＣ信号への変換処理や圧縮処理等が行なわれ圧縮処理された画像信号が後段のメモリ１０５へと供給され、このメモリ１０５に記憶された圧縮画像信号がメモリ１０５よりも大容量の内蔵メモリやメモリカード１０７に記録される。このようにして撮影処理が実行される。
【００５４】
次にプリント指示ボタン１０８１の操作を受けてＣＰＵ１００が実行するプリント処理を説明する。
【００５５】
このプリント処理を実行する前に図４で説明したようにユーザによってこのプリント機能付き撮影装置の姿勢が調整されたものとして以降説明する。この例では、ＣＰＵ１００が三軸加速度センサ１１０による姿勢検出結果に応じて液晶モニタ１０６上に前述の調整用線および基準となる水平線の表示とともに‘アジャスタにより傾きの調整を行なってください’というメッセージの表示を行なわせてユーザに調整を促すようにしている。つまり、本発明にいうところの制御手段であるＣＰＵ１００は、振動検出手段である三軸加速度センサ１１０の検出によりこのプリント機能付き撮影装置１が傾いていることを検知した場合には、液晶部１０６に、このプリント機能付き撮影装置が傾いているということを表わす表示を液晶モニタ１０６１上に行なわさせているという訳である。
【００５６】
そして図４に示すようにプリント機能付き撮影装置が水平になるように調整された後プリント指示ボタンが操作されたらその操作を受けてＣＰＵ１００はプリント処理を実行する。
【００５７】
ＣＰＵ１００は、プリント指示ボタン１０９の操作を受けて、例えば液晶モニタ１０６上に表示されている画像を表わす画像データをメモリ１０５から読み出してプリント用デジタル信号処理部１１１に供給する。プリント用デジタル信号処理部１１１では、その画像データに応じて露光ヘッド１２１内の液晶シャッタの透過率を制御してＲ光，Ｇ光，Ｂ光の光量をそれぞれ調節することにより露光ヘッドにインスタントフィルム全体に亘ってカラー潜像を形成させる。
【００５８】
そして露光ヘッド１２１によりカラー潜像を形成させ終えたらクロー（不図示）を作動させインスタントフィルムシートを展開ローラ側へ掻き出させて展開ローラ１３０にインスタントフィルムシートを引き込ませる。こうして展開ローラ１３０にインスタントフィルムシート１０００を引き込ませたらＣＰＵ１００は、展開ローラ１３０を回転させることによりインスタントフィルムシート１０００を外部へと排出させる。さらにＣＰＵは、インスタントフィルムシートを外部へと排出させ終えたことを不図示のセンサ等の検出により検知したら一連のプリント処理を終了させるようにしている。
【００５９】
また本実施形態のプリント機能付き撮影装置１では、この撮影装置の傾きだけでなく振動も三軸加速度センサ１１０により検出するようにして光学ヘッドに潜像を形成させるに先立って振動が検出されたときには液晶部に警告表示を行なせるようにしている。さらにプリントミスが必ず発生する程度の大きな振動であったときには警告表示とともに即時プリント中止の処理を行なわせるようにもしている。
【００６０】
図６は、ＣＰＵ１００が実行するプリント処理の処理手順を示すフローチャートである。
【００６１】
図６には、撮影モード時の処理が示されているため、撮影処理ルーチンも示されている。
【００６２】
図２に示したモードダイヤル１０８２により撮影モードが選択されたときにこのフローの処理が開始される。
【００６３】
ステップＳ６０１でプリント指示ボタン１０８１が押されたかどうかを判定する。このステップＳ６０１でプリント指示ボタン１０８１が押されていないと判定したら、Ｎ側に進んでステップＳ６０２でシャッタボタン１２が押されたどうかを判定する。このステップＳ６０２でシャッタボタン１２が押されていないと判定したらステップＳ６０１に戻ってステップＳ６０１の処理を繰り返す。ステップＳ６０２でシャッタボタン１２が押されたと判定したらＹ側に進んでステップＳ６０３で撮影処理を実行してステップＳ６０１に戻って処理を繰り返す。
【００６４】
ステップＳ６０２でプリント指示ボタン１０８１が押されたと判定したらＹ側に進んでステップＳ６０４でメモリ１０５に画像があるかどうかを判定する。メモリ１０５に画像がなかったらＮ側に進んでステップＳ６０２でシャッタボタン１２が押されたかどうかを判定する。ステップＳ６０４でメモリ１０５に画像があると判定したら、ステップＳ６０５へ進んで三軸加速度センサ１１０により振動検出を行なう。次のステップＳ６０６へ進んでステップＳ６０６で三軸加速度センサから受け取った振動値情報が第１の振動値よりも小さいと判定したらＹ側に進んでステップＳ６０７でプリント処理を行なってステップＳ６０１に戻ってシャッタボタンあるいはプリントボタンの操作を待つ。
【００６５】
ステップＳ６０６で第１の振動値を超える振動があると判定したら、Ｎ側に進んでステップＳ６０８で第２の振動値よりも小さいかどうかを判定する。
【００６６】
このステップＳ６０８で、第２の振動値よりも小さい振動であって比較的振動が軽微であると判定した場合にはＹ側に進んでステップＳ６０９で‘軽微な振動があるので印画品質に影響しますプリントしますか’の表示を液晶部に行なわせる。次のステップＳ６１０に進んでこの表示を見たユーザにより再度プリント指示ボタンが押されたかどうかを判定する。ここでプリント指示ボタンが押されなかったと判定したらＮ側に進んで、ステップＳ６１３で光学ヘッドに潜像の形成（つまり露光）を開始させずにステップＳ６１４で液晶部１０６に‘プリントは実行されませんでした’の警告表示を行なわさせる。
【００６７】
このステップＳ６１０でプリント指示ボタンが押されたら、ステップＳ６１１で‘軽微な振動がありますが、強制印画します’という警告表示を液晶部に行なわせ、ステップＳ６０７に進んでプリント処理を行なってステップＳ８０２に戻る。
【００６８】
また、ステップＳ６０８で第２の振幅値を超えていると判定した場合には、Ｎ側に進んで‘過剰な振動があるのでプリントが出来ません’という警告表示を液晶部に行なわせる。次のステップＳ６１２で光学ヘッドに潜像を形成させずに、次のステップＳ６１３で警告表示を液晶部に行なわせてステップＳ６０２に戻る。
【００６９】
つまり、本発明のいうように、制御手段であるＣＰＵは、プリント指示ボタンからのプリント指示を受けて、光学ヘッドに潜像を形成させるに先立って振動検出手段である三軸加速度センサから所定の振幅値情報を受け取り、その振幅値情報が所定の第１の振幅値以下の振幅値を表わしている場合に光学ヘッドに潜像を形成させ、また三軸加速度センサから受け取った振幅値情報が上記第１の振幅値を超えかつ所定の第２の振幅値以下の振幅値を表わしている場合に表示手段である液晶部に振動の存在する旨の表示を行なわさせ、再度プリント指示を受けて光学ヘッドに潜像を形成させ、さらに光学ヘッドに潜像を形成させるに先立って三軸加速度センサから受け取った振幅値情報が、所定の第２の振幅値を超える振幅値を表わしている場合に、表示手段である液晶部に振動が存在する旨の表示を行なわせるとともに光学ヘッドによる潜像の形成を禁止する処理を行なっているということになる。
【００７０】
図６の例に示すフローにあるようにフロー中のステップＳ６１０でプリントを行なうか、行なわないかの選択をユーザに判断させるようにしておくとどうしてもプリントを行ないたい場合には、プリント指示ボタンの操作によりプリントを行なうことができるようになるのでこのプリント機能付き撮影装置の使い易さをユーザにアピールすることができるようにもなる。
【００７１】
以上説明したように、乗り物の車内等でプリントが行なわれるようなことがあってもプリントミスの発生が未然に防止されるプリント機能付き撮影装置が実現する。
【００７２】
また、本実施形態のプリント機能付き撮影装置では三軸加速度センサが配備されていることを利用して他の目的にもその三軸加速度センサを効果的に用いて処理を行なうよういしているのでその例を説明する。
【００７３】
図７は、本実施形態のプリント機能付き撮影装置で撮影を行なうときに良く用いられる撮影装置の構え方を示す図であり、図８は、図７に示すように構えたときの撮像面それぞれを示す図である。また、図９は、本実施形態のプリント機能付き撮影装置が備えるテンプレートを説明する図である。
【００７４】
このプリント機能付き撮影装置１を用いて撮影が行なわれるときには、図７（ａ）に示すように構えるか、あるいは図７（ｂ）に示すように図７（ａ）の状態にある撮影装置を＋９０度回転させて構えるか、あるいは図７（ａ）の状態にある撮影装置を−９０度回転させて構えるかの三通りの構え方がほとんどである。
【００７５】
本実施形態のプリント機能付き撮影装置１が備える撮像デバイス１０１は、縦横異なる比率の撮像面を有するものであり、図７（ａ）に示すように構えて撮影が行なわれると図８（ａ）に示す横長の撮像面になり、図７（ｂ）、あるいは図７（ｃ）に示すように撮影装置を構えて撮影が行なわれると、図８（ｂ）あるいは図８（ｃ）に示すように縦長の撮像面になる。以降の説明においては、図８（ａ）、図８（ｂ）、図８（ｃ）に示す撮像面をそれぞれ区別するために、図８（ａ）に示す撮像面を横長と記載し、図８（ｂ）に示す撮像面を縦長＋９０度と記載し、図８（ｃ）に示す撮像面を縦長−９０度と記載する。内部のＣＰＵが、これら３つの姿勢を三軸加速度センサにより検出している。
【００７６】
また、本実施形態のプリント機能付き撮影装置１は、メモリカード内の画像信号に基づく画像に重ねて画枠を形成するテンプレートを表わす画像を内部メモリ内に複数保有している。そのテンプレートのデザインとしては、図９（ａ）に示すように横長の撮像面に対応するものと、図９（ｂ）に示すように縦長の撮像面に対応するものとの２種類のものがある。
【００７７】
例えばモードダイヤル１０８２が再生モードに切り替えられて、操作によりメモリカード内の画像信号のうちのいずれかが選択されて液晶モニタ上に画像が表示された状態にあるときに、さらなる操作により複数のテンプレートのうちのいずれかのテンプレートが選択されて、いずれかのテンプレートを画枠とするような画像合成が行なわれるようなことがあると、テンプレートが縦長であって撮像面が横長であったり、テンプレートが横長用であって撮像面が縦長であったりするケースが出てくる。そうすると、撮影画像とテンプレートの縦横の方向があわないため、画像合成がうまく行なわれなくなってしまう。
【００７８】
そこで、撮影時の撮影装置の姿勢を三軸加速度センサにより検出するようにして、図７（ａ）の姿勢で撮影が行なわれたか、図７（ｂ）の姿勢で撮影が行なわれたか、図７（ｃ）の姿勢で撮影が行なわれたかを付加情報として画像信号とともに記録するようにしている。
【００７９】
こうしておくと、モードダイヤル１０８２が再生モードに切り替えられ再生画像を表わす画像信号がメモリカードから読み出されたときにＣＰＵ１００によってその付加情報が読み取られテンプレートと再生画像との合成処理が好適に行なわれるようになる。ここでは図７に示した横長、縦長＋９０度、縦長−９０度という情報が画像信号に付加されている。これらの付加情報をＣＰＵ１００は、カメラ用信号処理部１０４に転送してカメラ用信号処理部１０４に回転処理やテンプレートと撮影画像とを合成する合成処理を行なわせるようにしている。本実施形態においてはＣＰＵ１００とカメラ用信号処理部１０４とが本発明にいう制御手段に該当する。
【００８０】
ここで、テンプレートとして横長のものが指定された場合の合成処理を説明する。
【００８１】
図１０は、テンプレートと撮影画像とを合成するときの合成状態を説明する図である。
【００８２】
図１０（Ａ）にはテンプレートとして横長のものが指定された状態にあるときに、撮影画像の向きによって制御手段であるＣＰＵ１００およびカメラ用信号処理部１０４によってどのように合成処理が行なわれるかが示されている。また図１０（Ｂ）には、テンプレートとして縦長のものが指定された状態にあるときに、撮影画像の向きに応じてＣＰＵ１００およびカメラ用信号処理部１０４によってどのように合成処理が行なわれるかが示されている。
【００８３】
図１０（Ａ）に示すようにテンプレートが横長のものであって撮影画像も横長であった場合には、ＣＰＵ１００およびカメラ用信号処理部１０４によって回転処理が行なわれることなくそのまま合成処理が行なわれる。
【００８４】
このときテンプレートが横長のものであるにも拘わらず、撮影画像が縦長＋９０度であった場合には、横長のテンプレートに合うようにＣＰＵ１００およびカメラ用信号処理部１０４によって−９０度方向に回転処理が行なわれてから合成処理が行なわれる。また、テンプレートが横長のものであるにも拘わらず撮影画像が縦長−９０度であった場合には横長のテンプレートにあうように＋９０度方向に回転処理が行なわれてから合成処理が行なわれる。
【００８５】
つまり、本発明にいう様に、制御手段であるＣＰＵ１００およびカメラ用信号処理部１０４は、操作によりメモリカード内の画像信号のうちのいずれかが選択され、さらに複数のテンプレートのうちのいずれかのテンプレートが選択されたときに、選択された画像信号が縦長であるか、横長であるかを判定して横長であった場合には内部メモリから読み出したテンプレートをそのまま画像信号に重ね、縦長であった場合には略９０度回転させてから画像信号に重ねるものになる。
【００８６】
さらに本実施形態においては、テンプレートのデザインとして横長のものに加えて縦長のテンプレートも用意されていてテンプレートが縦長であった場合にも同様の処理が行なわれるようになっている。このようにテンプレートが縦長のものであった場合にも本発明の技術は適用される。
【００８７】
図１０（Ｂ）に示すようにテンプレートが縦長のものが指定されているときに撮影画像が縦長＋９０度であった場合には、ＣＰＵ１００およびカメラ用信号処理部１０４によって回転処理が行なわれることなくそのまま合成処理が行なわれる。
【００８８】
また撮影画像が横長のものであった場合には、縦長のテンプレートにあうようにＣＰＵ１００およびカメラ用信号処理部１０４によって−９０度の回転処理が行なわれてから合成処理が行なわれる。また、縦長−９０度の撮影画像であった場合にはＣＰＵ１００およびカメラ用信号処理部１０４によって１８０度（９０度×２の回転処理とも考えられる）の回転処理が行なわれてから合成処理が行なわれる。
【００８９】
このように三軸加速度センサ１１０により振動だけでなく姿勢を検出するようにしておくと、画像処理により様々な画像処理（回転処理や合成処理等）が好適に行なわれるようになる。
【００９０】
ここで、本実施形態ではプリント機能付き撮影装置の例を説明したが、このプリント機能付き撮影装置のプリント機能のみを持つ携帯プリンタにも本発明は適用される。
【００９１】
図１１は本発明の実施形態である携帯プリンタ２を、斜め前方から見た斜視図である
図１１に示すプリンタ２は、例えばカメラ付き携帯電話機２００で撮影された画像を表わす画像データまたはメールなどで携帯電話機２００に送信されてきた画像データが赤外線通信を用いてこの携帯プリンタ２に送信されてきたときに、その画像データに基づいてインスタントフィルムシート上に画像のプリントを行なうものである。
【００９２】
本実施形態の携帯プリンタの構成を簡単に説明しておく。
【００９３】
この携帯プリンタ２は可搬型であって携帯電話機２００とこの携帯プリンタ２との双方を手に持って画像の記録を行なうことが可能な程度の小型かつ軽量の構造を有するものである。この携帯プリンタ２の筐体２ａ内にインスタントフィルムパックが装填され、そのインスタントフィルムパック内の、積層された多数のインスタントフィルムシート一枚一枚に前述のプリント機能付き撮影装置と同様の画像のプリントが行なわれる。
【００９４】
プリンタ２の筐体２ａの上面には、この携帯プリンタ２の電源の投入および遮断を指示する電源スイッチ（以下電源ＳＷという）２１やプリントスイッチ（以下プリントＳＷという）２２やプリントデータ補正スイッチ（以下プリントデータ補正ＳＷという）２３が設けられている。また、中央には、ＬＣＤパネル２４が設けられており、このＬＣＤパネル２４上にインスタンフィルムシートの残り枚数やプリントデータ補正ＳＷ２３の内容が表示される。また、前述した赤外線通信により送信されてきた画像データを受光する受光素子２５が携帯電話をこの携帯プリンタに対向させ易い位置、ここでは筐体２ａの端部に配備されている。なお、この図１には図示してはいないが、この携帯プリンタ２はＵＳＢ通信用の通信ポートも持っている。
【００９５】
プリントＳＷ２２は、記録媒体であるインスタントフィルムシートへの画像のプリントが終了した後、そのプリントが終了した画像と同じ画像を再度印刷する場合に操作されるものであり、プリントデータ補正ＳＷ２３は、インスタントフィルムシートに印刷される画像の濃淡（Ｄａｒｋｅｎ  ｏｒ  Ｌｉｇｈｔｅｎ）を調節するためのものであり、このプリントデータ補正ＳＷ２３がＤａｒｋｅｎ側に切り替えられるとその画像データに基づく画像の全体のトーンがやや暗くなった画像がインスタントフィルムシート上に印刷され、Ｌｉｇｈｅｔｅｎ側に切り替えられると全体のトーンがやや明るくなった画像がインスタントフィルムシート上に印刷される。このプリントデータ補正ＳＷ１３が操作された後、プリントＳＷ２２が操作されると、同じ構図の写真でありながら異なった趣の写真が得られる。図示はしていないが、携帯プリンタ２の底面側にはアジャスタが設けられていてさらに携帯プリンタ２内部には三軸加速度センサが設けられている。このため第１実施形態であるプリント機能付き撮影装置と同様に、三軸加速度センサによる姿勢検出に応じて表示画面上に調整用線が表示されたり、プリント前の振動検出に応じてＬＣＤパネル２４上に警告が表示されるようにもなっている。このような携帯プリンタにも本発明は適用される。
【００９６】
以上説明したように、乗り物の車内等でプリントが行なわれるようなことがあってもプリントミスの発生が未然に防止される携帯プリンタが実現する。
【図面の簡単な説明】
【００９７】
【図１】本発明の一実施形態であるプリント機能付き撮影装置１の外観を示す図である。
【図２】図１に示すプリント機能付き撮影装置１の背面側の外観を示す図である。
【図３】図１のプリント機能付き撮影装置１が備える露光ヘッド１２１を含む印刷部の構成を説明する図である。
【図４】４つのアジャスタ１８１〜１８４による傾き調整の状態を説明する図である。
【図５】図１のプリント機能付き撮影装置１の内部構成を示す構成ブロック図である。
【図６】ＣＰＵ１００が実行するプリント処理の処理手順を示すフローチャートである。
【図７】本実施形態のプリント機能付き撮影装置で撮影を行なうときに良く用いられる構え方を示す図である。
【図８】図７に示すように構えたときの撮像面それぞれを示す図である。
【図９】テンプレートの例を示す図である。
【図１０】テンプレートと撮影画像とを合成するときの合成状態を説明する図である。
【図１１】本発明の実施形態である携帯プリンタ２を、斜め前方から見た斜視図である。
【符号の説明】
【００９８】
１    プリント機能付き撮影装置
１０    撮影レンズ
１１    ファインダ
１２    シャッタボタン
１８１〜１８４    アジャスタ
１００    ＣＰＵ
１００ａ    ＥＥＰＲＯＭ
１０１    撮像デバイス
１０２    アナログ信号処理部
１０３    Ａ／Ｄ部
１０４    カメラ用デジタル信号処理部
１０５    メモリ
１０６    液晶部
１０６１    液晶モニタ
１０７  内蔵メモリまたはメモリカード
１０７ａ    メモリカード装填室
１０８    操作部
１０８１    プリント指示ボタン
１０８２    モードダイヤル
１０８３    表示スイッチ
１０８４    シフトキー
１１０    三軸加速度センサ
１２１    露光ヘッド
１２２ａ  １２２ｂ    ガイド
１２０    モータ
１０００  インスタントフィルムシート
１３０    展開ローラ
【図１】
2007059997.tif 000003
【図２】
2007059997.tif 000004
【図３】
2007059997.tif 000005
【図４】
2007059997.tif 000006
【図５】
2007059997.tif 000007
【図６】
2007059997.tif 000008
【図７】
2007059997.tif 000009
【図８】
2007059997.tif 000010
【図９】
2007059997.tif 000011
【図１０】
2007059997.tif 000012
【図１１】
2007059997.tif 000013